(57)【要約】【課題】剥離ユニット、内部巻取りユニットおよびカッタユニットそれぞれの発行形態への切換えが容易であり、しかも、外付けとして装置本体より出っ張らないで装置本体内に収納可能なラベルプリンタを提供することを課題とする。【解決手段】装置本体３の下端部に形成された取付け部３４を介して回動自在に支持された取付けフレーム２３と、取付けフレーム２３に対して着脱自在とされるオプションユニット４０と、を備え、取付けフレーム２３に所望のオプションユニット４０を装着するとともに、取付け部３４を基点に取付けフレーム２３およびオプションユニット４０を装置本体３側に回動し、前記印字部の下流位置の装置本体３内にオプションユニット４０を収納・位置決めする。【選択図】      図１
2004330419.tif 000002
【特許請求の範囲】
【請求項１】
装置本体に装着されたラベル連続体を搬送するプラテンローラおよびこのプラテンローラに対向位置決めされ前記ラベル連続体に所望の情報を印字する印字ヘッドから成る印字部と、印字部の下流に設けられた剥離手段とを備えるラベルプリンタにおいて、
前記印字部の下流における前記装置本体の下端部に形成された取付け部を介して回動自在に支持された取付けフレームと、
この取付けフレームに対して着脱自在とされるオプションユニットと、を備え、
前記取付けフレームに所望のオプションユニットを装着するとともに、前記取付け部を基点に前記取付けフレームおよびオプションユニットを装置本体側に回動し、前記印字部の下流位置の装置本体内にオプションユニットを収納・位置決めすることを特徴とするラベルプリンタ。
【請求項２】
前記プラテンローラの下流側に、近接して剥離ローラが設けられることを特徴とする請求項１に記載のラベルプリンタ。
【請求項３】
前記オプションユニットは、剥離ユニット、内部巻取りユニットおよびカッタユニットであることを特徴とする請求項１に記載のラベルプリンタ。
【請求項４】
前記取付けフレームは、前記ラベル連続体を巻き取る巻取り部を備え、前記取付け部を基点に装置本体側に回動した際、前記巻取り部が装置本体内に収納・位置決めされることを特徴とする請求項１に記載のラベルプリンタ。
【請求項５】
前記剥離ユニットは、転向ローラおよびプレッシャローラを備え、前記取付け部を基点に前記取付けフレームおよび剥離ユニットを装置本体側に回動し、前記印字部の下流位置に剥離ユニットを位置決め・固定した際、前記プラテンローラに対峙する位置に転向ローラが位置決めされ、かつ、前記剥離ローラに当接する位置に前記プレッシャローラが位置決めされるとともに、前記転向ローラおよびプレッシャローラが装置本体内に収納されることを特徴とする請求項１ないし４に記載のラベルプリンタ。
【請求項６】
前記内部巻取りユニットは、前記ラベル連続体の排出口と、前記装置本体側への挿入口と、前記排出口および挿入口の間に円弧状に形成されたガイド板と、を備え、前記取付け部を基点に前記取付けフレームおよび内部巻取りユニットを装置本体側に回動し、前記印字部の下流位置に巻取りユニットを位置決め・固定した際、前記印字部にて印字されたラベル連続体を排出口から排出するとともに、ガイド板を経て挿入口から挿入し、前記巻取り部にて巻き取らせる巻取り迂回路が形成されることを特徴とする請求項１ないし４に記載のラベルプリンタ。
【請求項７】
前記カッタユニットは、固定刃および可動刃より成る切断部を備え、前記取付け部を基点に前記取付けフレームおよびカッタユニットを装置本体側に回動し、前記印字部の下流位置にカッタユニットを位置決め・固定した際、前記印字部の下流側の装置本体内に切断部が収納・位置決めされるとともに、前記固定刃上に前記ラベル連続体を載置することを特徴とする請求項１ないし４に記載のラベルプリンタ。
【請求項８】
前記切断部は、ラベル連続体の排出方向に対し交差する方向に設けられた固定刃と、この固定刃に沿って回転する回転刃とからなるロータリカッタであることを特徴とする請求項７に記載のラベルプリンタ。
【発明の詳細な説明】
【０００１】
【発明の属する技術分野】
本発明は、特に、装置本体に対し複数のオプションユニットを着脱自在に交換可能とするラベルプリンタに関する。
【０００２】
【従来の技術】
従来のラベルプリンタとしては、図７ないし図８に示されるようなものが知られている。
図７は、発行形態が連続発行タイプと称するラベルプリンタであり、台紙１１にラベル１が仮着されたラベル連続体２を装置本体３に設けられた供給軸４に装着し、印字ヘッド５およびプラテンローラ（以下、適宜単にプラテンと称す）６より成る印字部７へと引き出し、印字部７にて所望の情報を印字するとともに、印字部７の下流に形成された発行口８より印字済みラベル１ａを連続して発行するものである。なお、１０は、後述する巻取り部、１２は、ガイドローラを示す。
【０００３】
また、図８は、発行形態が剥離タイプと称するラベルプリンタであり、台紙１１にラベル１が仮着されたラベル連続体２を装置本体３に設けられた供給軸４に装着し、印字ヘッド５およびプラテンローラ６より成る印字部７へと引き出し、印字部７にて所望の情報を印字するとともに、印字部７の下流に形成された剥離手段としての剥離板９にて台紙１１のみ「転向」と称する方向変換を行ってガイドローラ１２を経て巻取り部１０にて巻き取ることにより、台紙１１からラベル１が剥離され、発行口８に印字済みラベル１ａが発行されるようになっている。発行されたラベル１ａは、指で摘まむなどの方法により発行口８から取り去るまで後端部が前記剥離板９に止まった状態で保持されるようになっている。
【０００４】
上述したように、ラベルプリンタは、その発行形態により使用する付属部品が異なる場合が多い。すなわち、剥離タイプ（図８参照）にあっては、剥離板９および台紙１１の巻取り部１０を使用して台紙１１よりラベル１を剥離するが、連続発行タイプ（図７参照）にあっては、剥離板９および台紙巻き取り用の巻取り部１０を使用せず、発行口８より印字済みラベル１ａを台紙１１ごと発行する。そして、台紙１１より印字済みラベル１ａを剥離しない代わりに、印字済みラベル１ａを単葉に切断すべく、発行口８の下流に近接してカッタユニットを設けるようなことが行われている（例えば、特許文献１参照）。
【０００５】
しかしながら、上記特許文献１にあっては、カッタユニットを用いる場合に、装置本体に対し着脱自在に装着が可能なものの、装置本体の外部に出っ張って取り付けた外付けのものであり、かつ、他の発行形態、すなわち、効率的な剥離を実施するための剥離ユニットや内部巻取りユニットなどの、それぞれの発行形態への切換えが容易とされるようなラベルプリンタは存在しなかった。
【０００６】
【特許文献１】
特開平５−２０８５３１号  公報
【０００７】
【発明が解決しようとする課題】
本発明は、上記のような問題点に着目してなされたものであって、剥離ユニット、内部巻取りユニットおよびカッタユニットそれぞれの発行形態への切換えが容易であり、しかも、外付けとして装置本体より出っ張らないで装置本体内に収納可能なラベルプリンタを提供することを課題とする。
【０００８】
【課題を解決するための手段】
上記課題を達成するため、本発明に係るラベルプリンタは、装置本体に装着されたラベル連続体を搬送するプラテンローラおよびこのプラテンローラに対向位置決めされ前記ラベル連続体に所望の情報を印字する印字ヘッドから成る印字部と、印字部の下流に設けられた剥離手段とを備えるラベルプリンタにおいて、前記印字部の下流における前記装置本体の下端部に形成された取付け部を介して回動自在に支持された取付けフレームと、この取付けフレームに対して着脱自在とされるオプションユニットと、を備え、前記取付けフレームに所望のオプションユニットを装着するとともに、前記取付け部を基点に前記取付けフレームおよびオプションユニットを装置本体側に回動し、前記印字部の下流位置の装置本体内にオプションユニットを収納・位置決めすることを特徴とする。
また、プラテンローラの下流側に、近接して剥離ローラが設けられるようにできる。
また、オプションユニットは、剥離ユニット、内部巻取りユニットおよびカッタユニットであるようにできる。
また、取付けフレームは、前記ラベル連続体を巻き取る巻取り部を備え、前記取付け部を基点に装置本体側に回動した際、前記巻取り部が装置本体内に収納・位置決めされるようにできる。
また、剥離ユニットは、転向ローラおよびプレッシャローラを備え、前記取付け部を基点に前記取付けフレームおよび剥離ユニットを装置本体側に回動し、前記印字部の下流位置に剥離ユニットを位置決め・固定した際、前記プラテンローラに対峙する位置に転向ローラが位置決めされ、かつ、前記剥離ローラに当接する位置に前記プレッシャローラが位置決めされるとともに、前記転向ローラおよびプレッシャローラが装置本体内に収納されるようにできる。
また、内部巻取りユニットは、前記ラベル連続体の排出口と、前記装置本体側への挿入口と、前記排出口および挿入口の間に円弧状に形成されたガイド板と、を備え、前記取付け部を基点に前記取付けフレームおよび内部巻取りユニットを装置本体側に回動し、前記印字部の下流位置に巻取りユニットを位置決め・固定した際、前記印字部にて印字されたラベル連続体を排出口から排出するとともに、ガイド板を経て挿入口から挿入し、前記巻取り部にて巻き取らせる巻取り迂回路が形成されるようにできる。
また、カッタユニットは、固定刃および可動刃より成る切断部を備え、前記取付け部を基点に前記取付けフレームおよびカッタユニットを装置本体側に回動し、前記印字部の下流位置にカッタユニットを位置決め・固定した際、前記印字部の下流側の装置本体内に切断部が収納・位置決めされるとともに、前記固定刃上に前記ラベル連続体を載置するようにできる。
また、前記切断部は、ラベル連続体の排出方向に対し交差する方向に設けられた固定刃と、この固定刃に沿って回転する回転刃とからなるロータリカッタであるようにできる。
【０００９】
【発明の実施の形態】
以下、図１ないし図６を参照して、本発明に係るラベルプリンタの好適な一実施の形態について説明する。なお、以下において、従来と同様の部分は同一符号を付すに止め、詳説を省略する。
【００１０】
図１は、ラベルプリンタ２０の概略斜視図であり、図２は、図１の、装置本体３の前面部Ｆ近辺の拡大概略側断面図である。
ラベルプリンタ２０の装置本体３には、前面部Ｆ側の上端部に操作パネル２１が備えられ、また、下端部に後述の取付け部２２が設けられており、この取付け部２２にオプションユニット取付け用の取付けフレーム２３が取付けられるようになっている。なお、３８は、剥離ローラ、３９は、既知のロック機構を示す。
【００１１】
取付け部２２には、幅方向Ｗの両端部に一対のレール部材２４が備えられ、先端部には取付け穴２５が形成され、かつ、後端部（図２における右側）にはストッパ溝３５が形成されている。なお、一対のレール部材２４は、図１および図２とも手前側のみ見える状態で示している。そして、前記レール部材２４は、装置本体３の前面部Ｆ側への進出（引出し）および装置本体３内への退避が自在とされるとともに、後端部に退避された際はストッパ溝３５と装置本体３側に設けられた突起３６が係合し、退避された位置でロックされるようになっている。このロックは、所定以上の力で外側（前面部Ｆ側）へ引っ張ると解除されるようになっている。
【００１２】
取付けフレーム２３は、側板２６、２７と、この側板２６、２７間に形成されたメインフレーム２８および補強部材２９、並びに巻取り部３０とを備える。
側板２６は、装置本体３の幅方向Ｗの片側（図２における奥側）に形成され、巻取り部３０を回転自在に支持している。更に、上端部に係合穴３１が、また、下端部に取付け穴（図示省略）が、おのおの形成されている。
一方の側板２７は、装置本体３の幅方向Ｗの片側（図２における手前側）に形成され、前記側板２６の係合穴３１に対峙する位置に、同様の係合穴３２が形成され、かつ、前記側板２６の下端部の図示省略の取付け穴に対峙する位置に、同様の図示省略の取付け穴が形成されている。また、この側板２７は、図２における手前側が大きく開くよう、前記側板２６に比して細い形状とされている。そして、この側板２６、２７間の一端部（前面部Ｆ側）に前面部Ｆの「カバー」兼用とされる板状のメインフレーム２８が形成され、また、他端部に側板２６、２７間の補強、延いては取付けフレーム２３全体の強度確保のための補強部材２９が架設されている。
巻取り部３０は、コア部３０ａとホールドレバー３０ｂとを備え、台紙１１を巻き取る際、コア部３０とホールドレバー３０ｂとの間で台紙１１を挟持して固定するようになっている。また、コア部３０ａは、図示省略の駆動手段により回転可能とされており、印字動作に従ってラベル１を剥離発行、または、連続発行する際、連動して台紙１１の巻取りが可能となっている。
そして、取付けフレーム２３は、前記側板２６、２７の下端に部に形成された図示省略の取付け穴と、取付け部２２のレール部材２４の先端に形成された取付け穴２５とをピン３４を用いて嵌合・連結することにより、取付け部２２に対して回動自在に支持されるものである。なお、前記側板２６下端の取付け穴（図示省略）、レール部材２４の先端の取付け穴２５およびピン３４により、「取付け部」が形成されるものである。
【００１３】
図１および図２は、オプションユニットとして、剥離ユニット４０を用いた例を示す図である。
剥離ユニット４０は、メインフレーム４１の上端部に転向ローラ４２と、プレッシャローラ４３を備え、下端部には係合部４４が形成されている。係合部４４はメインフレーム４１との間に、前記取付けフレーム２３のメインフレーム２８が差し込める程度の間隙を有して側断面が逆Ｕ字形に形成された溝形状となっている。そして、剥離ユニット４０側のメインフレーム４１と係合部４４とにより形成された前記逆Ｕ字状の溝（図示省略）を前記取付けフレーム２３側のメインフレーム２８の上端部に合せこみ摺動させることにより、剥離ユニット４０が取付けフレーム２３に装着されるものである。その後、取付けフレーム２３の側板２７上端部の係合穴３２と側板２６上端部の係合穴３１にシャフト４５を挿通し、係合部４４の外側（図２における右側）から支えるようにする。
更に、前述した取付けフレーム２３に剥離ユニット４０を装着した状態で、ピン３４を基点として装置本体３側に回動してロック機構３９によりロックすると、図２に示されるように、剥離ユニット４０の転向ローラ４２がプラテン６に対峙する位置に、また、プレッシャローラ４３が剥離ローラに当接する位置に、おのおの位置決めされ、前述取付けフレーム２３のメインフレーム２８および剥離ユニット４０のメインフレーム４１が装置本体３の前面部Ｆ側を覆う「カバー」となり、前記転向ローラ４２およびプレッシャローラ４３は装置本体３内に収納された状態となる。
【００１４】
次に、主に、図３および図４に基づき、オプションユニットとしての内部巻取りユニット５０につき説明する。
【００１５】
内部巻き取りユニット５０は、主に、メインフレーム５１と、外側に形成された透明なカバー部材５２と、前記メインフレーム５１とカバー部材５２との間の間隙に形成された円弧状のガイド板５３と、上端部に形成された排出口５５と、下端部に形成された挿入口５６とを備え、メインフレーム５１の下端部には係合部５４が形成されている。係合部５４はメインフレーム５１との間に、前記取付けフレーム２３のメインフレーム２８が差し込める程度の間隙を有して側断面が逆Ｕ字形に形成された溝形状となっている。そして、内部巻取りユニット５０側のメインフレーム５１と係合部５４とにより形成された前記逆Ｕ字状の溝（図示省略）を前記取付けフレーム２３側のメインフレーム２８の上端部に合せこみ摺動させることにより、内部巻取りユニット５０が取付けフレーム２３に装着されるものである。その後、取付けフレーム２３の係合穴３２、３１にシャフト４５を挿通し、係合部５４の外側（図４における右側）から支えるようにする。
更に、前述した取付けフレーム２３に内部巻取りユニット５０を装着した状態で、ピン３４を基点として装置本体３側に回動してロック機構３９によりロックすると、図４に示されるように、装置本体３の前面部Ｆ側に排出口５５と、これに連続してガイド板５３および挿入口５６に至る「迂回路」が、メインフレーム５１とカバー部材５２との間の間隙に形成されるとともに、前記カバー部材５２が装置本体３の前面部Ｆ側を覆う「カバー」となる。
【００１６】
次に、主に、図５および図６に基づき、オプションユニットとしてのカッタユニット６０につき説明する。
【００１７】
カッタユニット６０は、メインフレーム６１の上端部に、固定刃６２、可動刃６３および図示せぬ駆動手段を備えた「切断部」と、下端部には係合部６４が形成されている。係合部６４はメインフレーム６１との間に、前記取付けフレーム２３のメインフレーム２８が差し込める程度の間隙を有して側断面が逆Ｕ字形に形成された溝形状となっている。そして、カッタユニット６０側のメインフレーム６１と係合部６４とにより形成された前記逆Ｕ字状の溝（図示省略）を前記取付けフレーム２３側のメインフレーム２８の上端部に合せこみ摺動させることにより、カッタユニット６０が取付けフレーム２３に装着されるものである。その後、取付けフレーム２３の係合穴３１、３２にシャフト４５を挿通し、係合部６４の外側（図６における右側）から支えるようにする。
更に、前述した取付けフレーム２３にカッタユニット６０を装着した状態で、ピン３４を基点として装置本体３側に回動してロック機構３９によりロックすると、図６に示されるように固定刃６２および可動刃６３を備えた「切断部」が印字部７の下流に位置決めされ、前述取付けフレーム２３のメインフレーム２８およびカッタユニット６０のメインフレーム６１が装置本体３の前面部Ｆ側を覆う「カバー」となり、「切断部」は装置本体３内に収納された状態となる。なお、固定刃６２の上部は、装置本体３側からのラベル連続体２の排出口６５となる。
【００１８】
次に、ラベルプリンタ２０の使用状態を説明する。
先ず、図１および図２を用いて剥離ユニット４０を取り付けた「剥離発行」の発行形態につき説明する。
【００１９】
取付け部２２のレール部材２４の先端に、「取付け部」のピン３４を介して回動自在に支持される取付けフレーム２３を引き出すと、レール部材２４の後端部のストッパ溝３５と突起３６との係合が解除されて前面部Ｆ側に進出する。そして、取付けフレーム２３を下方に回動（図２における反時計回転）し、剥離ユニット４０のメインフレーム４１と係合部４４との間に形成される逆Ｕ字状の溝（図示省略）を取付けフレーム２３側のメインフレーム２８上端部に合せこみ摺動させ、剥離ユニット４０を取付けフレーム２３に装着し、更に、取付けフレーム２３の係合穴３２、３１にシャフト４５を挿通し、係合部４４の外側（図２における右側）から支える。剥離ユニット４０が重たくとも、シャフト４５により外側から支えるため、安定した装着性が確保できる。
【００２０】
次いで、ラベル連続体２を供給軸４側から引き出し、印字ヘッド５とプラテン６の間を挿通させ、剥離板９を経て内側（装置本体３内部側）に折り曲げ、巻取り部３０のコア部３０ａに巻き付け、コア部３０ａの上からホールドレバー３０ｂにて挟み込み、台紙１１を固定する。巻取り部３０への台紙１１の巻き付け時、取付けフレーム２３は、取付け部２２のレール部材２４に支持されているため引き出しが容易であり、しかも、「取付け部」のピン３４を基点として前面部Ｆ側に回動可能なため、主に図１に示すように、側板２７側（手前側）が大きく開放され、巻取り部３０への台紙１１の巻き付けが容易となるものである。
【００２１】
更に、前述した取付けフレーム２３に剥離ユニット４０を装着した状態で、レール部材２４を装置本体３へと押し込みレール部材２４のストッパ溝３５と装置本体３側の突起３６とを係合した上、ピン３４を基点として装置本体３側に回動してロック機構３９によりロックすると、図２に示されるように、剥離ユニット４０の転向ローラ４２がプラテン６に対峙する位置に、また、プレッシャローラ４３が剥離ローラに当接する位置に、おのおの位置決めされ、ラベル連続体２の台紙１１は剥離板９で転向されて転向ローラ４２に接触しつつ剥離ローラ３８とプレッシャローラ４３の間で挟持されながら巻取り部３０に巻き取られる。剥離板９で転向された台紙１１を転向ローラ４２で回転・支持し、更に、剥離ローラ３８とプレッシャローラ４３の間で挟持して引っ張るため、台紙１１からの印字済みラベル１ａの剥離性が向上するものである。
また、取付けフレーム２３のメインフレーム２８および剥離ユニット４０のメインフレーム４１が装置本体３の前面部Ｆ側を覆う「カバー」となり、転向ローラ４２およびプレッシャローラ４３は、外に出っ張ることなく装置本体３内に収納された状態となるため、コンパクト化が図れるものである。
【００２２】
次に、図３および図４を用いて内部巻取りユニット５０を取り付けた「連続発行」の発行形態につき説明する。
【００２３】
取付けフレーム２３を下方に回動（図４における反時計回転）し、内部巻取りユニット５０のメインフレーム５１と係合部５４との間に形成される逆Ｕ字状の溝（図示省略）を取付けフレーム２３側のメインフレーム２８上端部に合せこみ摺動させ、巻取りユニット５０を取付けフレーム２３に装着し、更に、取付けフレーム２３の係合穴３２、３１にシャフト４５を挿通し、係合部５４の外側（図４における右側）から支える。内部巻取りユニット５０が重たくとも、シャフト４５により外側から支えるため、安定した装着性が確保できる。
【００２４】
次いで、ラベル連続体２を供給軸４側から引き出し、印字ヘッド５とプラテン６の間を挿通させ、剥離板９を経て台紙１１およびラベル１ごとラベル連続体２を排出口５５より挿入し、ガイド板５３を経て挿入口５６より装置本体３内側に引き出して巻取り部３０のコア部３０ａに巻き付け、コア部３０ａの上からホールドレバー３０ｂにて挟み込み、ラベル連続体２を固定する。巻取り部３０への台紙１１の巻き付け時、取付けフレーム２３は、取付け部２２のレール部材２４に支持されているため引き出しが容易であり、しかも、取付けフレーム２３は、「取付け部」のピン３４を基点として前面部Ｆ側に回動可能なため、主に図３に示すように、側板２７側（手前側）が大きく開放され、巻取り部３０へのラベル連続体２の巻き付けが容易となるものである。
【００２５】
更に、前述した取付けフレーム２３に内部巻取りユニット５０を装着した状態で、ピン３４を基点として装置本体３側に回動してロック機構３９によりロックすると、図４に示されるように、装置本体３の前面部Ｆ側に排出口５５と、これに連続してガイド板５３および挿入口５６に至る「迂回路」がメインフレーム５１とカバー部材５２との間の間隙に形成されるとともに、前記カバー部材５２が装置本体３の前面部Ｆ側を覆う「カバー」となるため、「ラベル連続体２の巻取り機構」が外に出っ張ることなく装置本体３内に収納された状態となり、コンパクト化が図れるものである。
【００２６】
次に、図５および図６を用いてカッタユニット６０を取り付けた「切断発行」の発行形態につき説明する。
【００２７】
取付けフレーム２３を下方に回動（図６における反時計回転）し、カッタユニット６０のメインフレーム６１と係合部６４との間に形成される逆Ｕ字状の溝（図示省略）を取付けフレーム２３側のメインフレーム２８上端部に合せこみ摺動させ、カッタユニット６０を取付けフレーム２３に装着し、更に、取付けフレーム２３の係合穴３１、３２にシャフト４５を挿通し、係合部５４の外側（図６における右側）から支える。カッタユニット６０が重たくとも、シャフト４５により外側から支えるため、安定した装着性が確保できる。
【００２８】
次いで、ラベル連続体２を供給軸４側から引き出し、印字ヘッド５とプラテン６の間を挿通させ、剥離板９を経て台紙１１およびラベル１ごとラベル連続体２を固定刃６２の上に形成される排出口６５を経て前面部Ｆ側へと引き出す。
【００２９】
更に、前述した取付けフレーム２３にカッタユニット６０を装着した状態で、ピン３４を基点として装置本体３側に回動してロック機構３９によりロックすると、図６に示されるように、排出口６５（固定刃６２の上）に印字済みラベル１がラベル連続体２ごと排出され、同期を取って図示せぬ駆動手段が作動して固定刃６２上のラベル連続体２の幅方向Ｗに沿って可動刃６３が回転しながらラベル連続体２を切断する。また、メインフレーム６２が装置本体３の前面部Ｆ側を覆う「カバー」となるため、「切断部」が外に出っ張ることなく装置本体３内に収納された状態となるため安全性が向上し、かつ、コンパクト化が図れるものである。
【００３０】
上述したように、オプションニットの装着時、オプションユニット４０、５０、６０のメインフレーム４１、５１、６１と係合部４４、５４，６４との間に形成される逆Ｕ字状の溝（図示省略）を、共通する取付けフレーム２３側のメインフレーム２８上端部に合せこみ摺動させることにより、オプションユニット４０、５０，６０を取付けフレーム２３に装着できるため、ドライバ等の工具なしに個々のオプションユニット４０、５０、６０が同じ構造、方法で容易に着脱可能である。
【００３１】
【発明の効果】
この発明に係るラベルプリンタは、以上説明したように、取付けフレームに対してオプションユニットを着脱自在に設け、取付けフレームおよびオプションユニットを装置本体側に回動し、印字部の下流位置の装置本体内にオプションユニットを収納・位置決めするので、個々のオプションユニットが同じ構造、方法で容易に着脱可能となるという効果がある。
【００３２】
更に、取付けフレームは、取付け部を基点として前面部側に回動可能なため、装置内部が前面部側において大きく開放され、装置内部への操作が容易になるという効果がある。
【００３３】
また、オプションユニットとして剥離ユニットを装着した場合は、同ユニットを装置本体側に回動して位置決め・固定した際、プラテンローラに対峙する位置に転向ローラが位置決めされ、かつ、剥離ローラに当接する位置にプレッシャローラが位置決めされるとともに、転向ローラおよびプレッシャローラが装置本体内に収納されるので、コンパクト化が図れるという効果がある。
【００３４】
また、オプションユニットとして内部巻取りユニットを装着した場合は、同ユニットを装置本体側に回動して位置決め・固定した際、排出口、ガイド板、排出口に至る迂回路が装置本体内に収納されるので、コンパクト化が図れるという効果がある。
【００３５】
また、オプションユニットとしてカッタユニットを装着した場合は、同ユニットを装置本体側に回動して位置決め・固定した際、切断部が装置本体内に収納・位置決めされるので、刃が内装されることにより安全性が向上するという効果がある。
【図面の簡単な説明】
【図１】本発明の一実施の形態に係るラベルプリンタの剥離ユニットの装着例を示す概略斜視図である。
【図２】図１の、装置本体の前面部近辺の拡大概略側断面図である。
【図３】内部巻取りユニットの装着例を示す装置本体の前面部近辺の拡大概略斜視図である。
【図４】図３の、装置本体の前面部近辺の拡大概略側断面図である。
【図５】カッタユニットの装着例を示す装置本体の前面部近辺の拡大概略斜視図である。
【図６】図５の、装置本体の前面部近辺の拡大概略側断面図である。
【図７】従来のラベルプリンタの連続発行の発行形態を示す概略側断面図である。
【図８】従来のラベルプリンタの剥離発行の発行形態を示す概略側断面図である。
【符号の説明】
Ｆ    前面部
Ｗ    幅方向
１    ラベル
１ａ  印字済みラベル
２    ラベル連続体
３    装置本体
４    供給軸
５    印字ヘッド
６    プラテンローラ（プラテン）
７    印字部
８    発行口
９    剥離手段（剥離板）
１０  巻取り部
１１  台紙
２０  ラベルプリンタ
２１  操作パネル
２２  取付け部
２３  取付けフレーム
２４  レール部材
２５  取付け穴
２６  側板
２７  側板
２８  メインフレーム
２９  補強部材
３０  巻取り部
３０ａ  コア部
３０ｂ  ホールドレバー
３１  係合穴
３２  係合穴
３４  ピン
３５  ストッパ溝
３６  突起
３８  剥離ローラ
３９  ロック機構
４０  剥離ユニット（オプションユニット）
４１  メインフレーム
４２  転向ローラ
４３  プレッシャローラ
４４  係合部
５０  内部巻取りユニット（オプションユニット）
５１  メインフレーム
５２  カバー部材
５３  ガイド板
５４  係合部
５５  排出口
５６  挿入口
６０  カッタユニット（オプションユニット）
６１  メインフレーム
６２  固定刃
６３  可動刃
６４  係合部
６５  排出口
【図１】
2004330419.tif 000003
【図２】
2004330419.tif 000004
【図３】
2004330419.tif 000005
【図４】
2004330419.tif 000006
【図５】
2004330419.tif 000007
【図６】
2004330419.tif 000008
【図７】
2004330419.tif 000009
【図８】
2004330419.tif 000010